(57)【要約】【課題】腰ベルト等の帯状被装着体に装着されたホルダ本体に対して、既存の工具袋が容易に取付け可能となる工具袋装着アダプタを提供する。【解決手段】本発明の工具袋装着アダプタ１は、工具袋１０のベルト通し部１１に装着される装着部２と、使用者の体に保持されるホルダ本体１２に対して着脱可能なブラケット部３と、を備える。【選択図】図１
2019089185.tif 000002
【特許請求の範囲】
【請求項１】
工具袋のベルト通し部に装着される装着部と、
使用者の体に保持されるホルダ本体に対して着脱可能なブラケット部と、を備える工具袋装着アダプタ。
【請求項２】
前記装着部は、帯状のバンド部を有し、
前記ブラケット部は、該ブラケット部を分割して形成された第１部分と第２部分とで構成され、前記バンド部の両端に該第１部分と該第２部分とがそれぞれ設けられている、請求項１に記載の工具袋装着アダプタ。
【請求項３】
前記装着部は、相互に回動可能に構成された第１環状構成部と第２環状構成部とを有し、
該第１環状構成部と該第２環状構成部とが環形状を構成する閉状態と、前記ベルト通し部を該装着部の内側に挿入可能な開状態と、の間で回動可能に構成されている、請求項１に記載の工具袋装着アダプタ。
【発明の詳細な説明】
【技術分野】
【０００１】
本発明は、腰ベルト等の帯状被装着体に装着されたホルダ本体に対して、工具袋（腰袋）を取付けるための工具袋装着アダプタに関する。
【背景技術】
【０００２】
従来、工具等を作業者の腰ベルト等に保持するための工具用ホルダが知られている。例えば、特許文献１には、工具に固定される差込みブラケットと、腰ベルト等の帯状被装着体に装着され、差込みブラケットと係合して工具を保持するホルダ本体からなり、ホルダ本体に、差込みブラケットを滑り込ませて保持する収容空間を設けた工具用ホルダが開示されている。この工具用ホルダによれば、工具に固定した差込みブラケットをホルダ本体に差し込むだけで、該ホルダ本体に工具を装着することができる。
【０００３】
ここで、特許文献２には、腰に下げて使用され、工具等を収容する工具袋が開示されている。このような工具袋は、環状のベルト通し部に腰ベルトを通すことにより、当該腰ベルトに吊り下げ保持されることが知られている。
【先行技術文献】
【特許文献】
【０００４】
【特許文献１】特許４１７２９２９号公報
【特許文献２】特開２００７−２７６０１４号公報
【発明の概要】
【発明が解決しようとする課題】
【０００５】
ところで、腰ベルトに装着された上記特許文献１のホルダ本体には、該ホルダ本体に対応する専用の差込みブラケットを備えた物しか取付けることができなかった。そのため、特許文献２に記載のような既存の工具袋は装着することができなかった。
【０００６】
それゆえ本発明は、腰ベルト等の帯状被装着体に装着されたホルダ本体に対して、既存の工具袋が容易に取付け可能となる工具袋装着アダプタを提供することを目的とする。
【課題を解決するための手段】
【０００７】
本発明は、上記課題を解決するためになされたものであり、本発明の工具袋装着アダプタは、工具袋のベルト通し部に装着される装着部と、
使用者の体に保持されるホルダ本体に対して着脱可能なブラケット部と、を備えることを特徴とする。
【０００８】
なお、本発明の工具袋装着アダプタにあっては、前記装着部は、帯状のバンド部を有し、
前記ブラケット部は、該ブラケット部を分割した形状を有する第１部分と第２部分とで構成され、前記バンド部の両端に該第１部分と該第２部分とがそれぞれ設けられていることが好ましい。
【０００９】
また、本発明の工具袋装着アダプタにあっては、前記装着部は、相互に回動可能に構成された第１環状構成部と第２環状構成部とを有し、
該第１環状構成部と該第２環状構成部とが環形状を構成する閉状態と、前記ベルト通し部を該環形状の内側に挿入可能な開状態と、の間で回動可能に構成されていることが好ましい。
【発明の効果】
【００１０】
本発明によれば、腰ベルト等の帯状被装着体に装着されたホルダ本体に対して、既存の工具袋が容易に取付け可能となる工具袋装着アダプタを提供することが可能となる。
【図面の簡単な説明】
【００１１】
【図１】本発明の一実施形態に係る工具袋装着アダプタを示す斜視図である。
【図２】図１の工具袋装着アダプタを工具袋に装着した状態を示す斜視図である。
【図３】腰ベルトに装着されたホルダ本体の一例を示す斜視図である。
【図４Ａ】本発明の他の実施形態に係る工具袋装着アダプタの閉状態を示す正面図である。
【図４Ｂ】図４Ａの工具袋装着アダプタの開状態を示す正面図である。
【図５】図４Ａ、４Ｂの工具袋装着アダプタを工具袋に装着した状態を示す側面図である。
【図６】本発明のさらに他の実施形態に係る工具袋装着アダプタを工具袋に装着した状態を示す斜視図である。
【図７Ａ】本発明のさらに他の実施形態に係る工具袋装着アダプタの背面図である。
【図７Ｂ】図７Ａの工具袋装着アダプタの平面図である。
【図８Ａ】本発明のさらに他の実施形態に係る工具袋装着アダプタの正面図である。
【図８Ｂ】図８Ａの工具袋装着アダプタの平面図である。
【図９Ａ】本発明のさらに他の実施形態に係る工具袋装着アダプタの正面図である。
【図９Ｂ】図９Ａの工具袋装着アダプタの平面図である。
【図１０Ａ】本発明のさらに他の実施形態に係る工具袋装着アダプタの正面図である。
【図１０Ｂ】図１０Ａの工具袋装着アダプタの側面図である。
【図１０Ｃ】図１０Ａの工具袋装着アダプタの背面図である。
【図１１Ａ】本発明のさらに他の実施形態に係る工具袋装着アダプタを工具袋に装着する様子を示す側面図である。
【図１１Ｂ】図１１Ａの工具袋装着アダプタを工具袋に装着した状態を示す斜視図である。
【発明を実施するための形態】
【００１２】
以下に、図面を参照しつつ、本発明の実施形態について例示説明する。図１は本発明の一実施形態としての工具袋装着アダプタ１（以下、「アダプタ」ともいう）を単独で示したものであり、図２は、装着部２を工具袋１０のベルト通し部１１に装着した状態を示している。工具袋１０は、例えば、上部の開口１０ａを通して工具等を出し入れ可能な革製又は布製の袋とすることができるが、これに限られない。
【００１３】
アダプタ１は、工具袋１０のベルト通し部１１に装着される装着部２と、ホルダ本体１２に対して着脱可能なブラケット部３と、を備える。
【００１４】
装着部２は、帯状のバンド部２ａで構成されている。バンド部２ａの材質は、例えばシリコン等の弾性体とすることができるが、これに限られず、非弾性体であってもよい。装着部２とブラケット部３は、一体に形成されていることが好ましく、これによれば、部品数を削減することができるとともに、簡易な構成とすることができる。なお、装着部２とブラケット部３とは、別部材として形成したものを接着、溶着、又は機械的な係合等により組み合わせた構成としてもよい。
【００１５】
ブラケット部３は、略矩形の板状であり、その下部は、下方に向けて先細り形状となっている。このように、ブラケット部３の下部が先細り形状となっていることにより、ホルダ本体１２の保持空間Ｓへのブラケット部３の挿入が容易となる。なお、ブラケット部３の材料も特に限定されず、例えば樹脂製、または金属製等とすることができる。
【００１６】
ブラケット部３は、当該ブラケット部３を２分割した形状を有する第１部分３ａと第２部分３ｂとで構成されている。第１部分３ａと第２部分３ｂは、帯状のバンド部２ａの両端にそれぞれ設けられている。
【００１７】
本例において、第１部分３ａと第２部分３ｂとは、相互に対向する面（組み合わせた際に接触する面）に、凹凸部４を有している。凹凸部４は、ブラケット部３をホルダ本体１２に差し込む際の差込み方向（本例では図１の上下方向）に対して直交する方向に突出又は窪んでいる。本例においては、例えば、第１部分３ａ側の凸部４ａを第２部分３ｂ側の凹部４ｂに嵌め込むようにして凹凸部４を嵌合させることにより、第１部分３ａと第２部分３ｂとの間での、差込み方向における位置決めを行うことができる。これにより、ホルダ本体１２に対するブラケット部３の装着時の操作が容易となるとともに、操作過程及び装着後における位置ずれを防止することができる。なお、当該凹凸部４の形状は、適宜変更可能である。また、このような凹凸部４は必須ではなく、例えば、第１部分３ａと第２部分３ｂとの当接面が平坦であってもよい。
【００１８】
本例のブラケット部３は、第１部分３ａ及び第２部分３ｂにそれぞれ設けた凹凸部４を嵌合させた状態で、ホルダ本体１２に差し込むことができる。また、第１部分３ａと第２部分３ｂは、ホルダ本体１２に装着されることにより、組み合わせた状態が保持され、ホルダ本体１２から取り外すことにより分離可能となる。なお、第１部分３ａと第２部分３ｂとは、凹凸部４を嵌合させた状態を維持できる機構を備えていてもよい。この場合、例えば、第１部分３ａと第２部分３ｂとの間に爪嵌合を設けて係合保持する構成としてもよいし、磁石を内蔵してその磁力等により、図２に示す嵌合状態で維持される構成としてもよい。
【００１９】
また、本例のアダプタ１は、環状のバンド部２ａが、分割されたブラケット部３において開閉する構成となっているが、これに限らず、ブラケット部３以外の部分に開閉可能なコネクタ構造等を設けてもよい。その場合、当該コネクタ構造は着脱可能に構成され、装着することによりバンド部２ａが閉状態となり、解除することによりバンド部２ａが開状態となる。このような構成とした場合、ホルダ本体１２にブラケット部３を装着した状態のままで工具袋１０を装着部２に着脱可能となる。
【００２０】
ここで、ホルダ本体１２の一例を図３に示す。ホルダ本体１２は、例えば腰ベルト１３等の帯状被装着体に装着されることにより使用者の体に保持される。なお、ホルダ本体１２は、使用者の体に保持されていれば、その保持方法は特に限定されない。また、ホルダ本体１２の形状は、ブラケット部３を着脱可能であれば特に限定されない。
【００２１】
ホルダ本体１２は、帯状被装着体に対して着脱するための構成を備えている。本例では、ホルダ本体１２の背面側に、腰ベルト１３を通すための貫通孔１４が形成されているが、これに限定されず、例えば、腰ベルト１３を挟み込むクリップ状の構成としてもよい。
【００２２】
ホルダ本体１２は、その前面側に、ブラケット部３を着脱可能に保持する保持空間１５を有している。本例において、保持空間１５は、上方に向けて開口するフレーム部１６と、スライド可能に構成されたストッパー部１７によって区画形成される。フレーム部１６は、上部開口からブラケット部３を差し込み可能に構成されている。また、フレーム部１６は、保持空間１５にブラケット部３が配置された際に、当該ブラケット部３の前後方向、左右方向、及び下方への移動を所定の範囲に規制するよう構成されている。なお、本例のホルダ本体１２は、ブラケット部３を保持空間１５の上方から差し込む構成としているが、差込み方向は特に限定されない。
【００２３】
ストッパー部１７は、ブラケット部３を上方から保持空間１５に向けて差し込む際に、斜め下方にスライドするように構成されている。これにより、保持空間１５への入口が開放されて、ブラケット部３を保持空間１５に容易に差し込むことができる。なお、ストッパー部１７の内部には、バネが配置されており、ブラケット部３の挿入後に自動的にストッパー部１７が元の位置に復元するよう該ストッパー部１７を付勢している。ストッパー部１７は、元の位置に復元することで、保持空間１５に配置されたブラケット部３の上方への移動を規制することができる。
【００２４】
本実施形態のアダプタ１を用いて既存の工具袋１０をホルダ本体１２に装着する際には、先ず、図１に示すように第１部分３ａと第２部分３ｂとが分離した状態で、工具袋１０のベルト通し部１１にバンド部２ａを通す。そして、図２に示すように、第１部分３ａと第２部分３ｂとを組み合わせて、ブラケット部３をホルダ本体１２の保持空間１５に上方から差し込む。このように、本実施形態のアダプタ１によれば、既存の工具袋１０に特別な加工を施すことなく、ホルダ本体１２に対して工具袋１０を容易に取付けることができる。
【００２５】
そして、工具袋１０をホルダ本体１２から取り外す際には、ストッパー部１７を斜め下方に押し下げた状態で、ブラケット部３を上方に引き上げて保持空間１５から取り出す。これにより、容易に工具袋１０をホルダ本体１２から取り外すことができる。
【００２６】
以下に、本発明の他の実施形態について説明する。なお、先の実施形態と同様の構成については説明を省略する。図４Ａは、本発明の他の実施形態としての工具袋装着アダプタ２０における閉状態を示す正面図であり、図４Ｂは開状態を示す正面図であり、図５は、工具袋１０に装着した状態での側面図である。
【００２７】
アダプタ２０は、工具袋１０のベルト通し部１１に装着される装着部２２と、ホルダ本体１２に対して着脱可能なブラケット部２３と、を備える。装着部２２は、例えばリベット等の軸部２４によってブラケット部２３に取付けられている。
【００２８】
装着部２２は、軸部２４によってブラケット部２３に軸支された第１環状構成部２２ａと第２環状構成部２２ｂとを有する。第１環状構成部２２ａと第２環状構成部２２ｂは、環形状を構成する閉状態（図４Ａ参照）と、工具袋１０のベルト通し部１１を装着部２２の環形状の内側に挿入可能な開状態（図４Ｂ参照）と、の間で回動可能に構成されている。
【００２９】
アダプタ２０を用いて工具袋１０をホルダ本体１２に装着する際には、先ず、工具袋１０のベルト通し部１１に装着部２２を装着し、次いで、ホルダ本体１２に対してブラケット部２３を差し込んでもよいし、先にホルダ本体１２にブラケット部２３を差し込み、その後、工具袋１０のベルト通し部１１に装着部２２を装着してもよい。
【００３０】
すなわち、本例のアダプタ２０は、ブラケット部２３をホルダ本体１２に装着した状態でも装着部２２が開閉可能となっているため、ブラケット部２３をホルダ本体１２に装着した状態のまま、装着部２２を開いて、工具袋１０のベルト通し部１１を装着部２２に装着することができる。
【００３１】
なお、本例では、装着部２２を構成する第１環状構成部２２ａと第２環状構成部２２ｂとが、上部の中央位置で軸部２４によって軸支され、装着部２２の下側で開閉する構成となっている。このため、図５に示すように、工具袋１０を装着部２２に保持した状態では、工具袋１０及び工具袋１０に収容された工具等の重さが負荷されるため、装着部２２が開状態となることが抑制される。
【００３２】
図６は、本発明のさらに他の実施形態としての工具袋装着アダプタ３０を、工具袋１０のベルト通し部１１に装着した状態を示している。アダプタ３０は、装着部３２と、ブラケット部３３とを有している。
【００３３】
装着部３２は、工具袋１０のベルト通し部１１を挟み込んで保持するクリップ状の構成となっている。より具体的には、装着部３２は、ブラケット部３３に固定された横板３２ａと、横板３２ａの両端部において、横板３２ａに直交する左右の縦板３２ｂと、各縦板３２ｂの上部から、横板３２ａと平行に、ブラケット部３３側に延びる上板３２ｃと、各縦板３２ｂの下部から、横板３２ａと平行に、ブラケット部３３側に延びる下板３２ｄと、を備えている。
【００３４】
図６に示すように、ベルト通し部１１の一方側（表側）に配置した横板３２ａと、他方側（裏側）に配置した上板３２ｃ及び下板３２ｄと、でベルト通し部１１を両側から挟み込むことにより、アダプタ３０を、工具袋１０のベルト通し部１１に装着することができる。この状態でブラケット部３３をホルダ本体１２の保持空間１５に差し込むことで、工具袋１０をホルダ本体１２に装着することができる。
【００３５】
図７Ａ、７Ｂは、本発明のさらに他の実施形態としての工具袋装着アダプタ４０を示している。アダプタ４０は、装着部４２と、ブラケット部４３とを有している。
【００３６】
装着部４２は、工具袋１０のベルト通し部１１に装着可能に構成されている。装着部４２は、図７Ｂに示すように、平面視でＣ字状に形成されており、扁平の環形状の一部に切欠き部４２ａが形成されている。切欠き部４２ａを通して、工具袋１０のベルト通し部１１を装着部４２の内側に配置することで、工具袋１０に装着部４２を装着することができる。
【００３７】
なお、本例における切欠き部４２ａは、上方から下方に向けて徐々に幅が大きくなっている。そのため、幅が大きい切欠き部４２ａの下側からベルト通し部１１を挿入することで、容易に工具袋１０に装着部４２を装着することができる。
【００３８】
図８Ａ、８Ｂは、本発明のさらに他の実施形態としての工具袋装着アダプタ５０を示している。アダプタ５０は、装着部５２と、ブラケット部５３とを有している。
【００３９】
装着部５２は、工具袋１０のベルト通し部１１に装着可能に構成されている。装着部５２は、図８Ｂに示すように、扁平の環形状の左右の何れか一方側に、開放部５４を有している。装着部５２は、開放部５４を通してベルト通し部１１内側に配置することができ、その状態で、前板５２ａを介して後板５２ｂにねじ５５を螺着することにより、環形状の内側に配置したベルト通し部１１の抜け出しを防止することができる。ブラケット部５３をホルダ本体１２の保持空間１５に差し込むことで、工具袋１０をホルダ本体１２に装着することができる。
【００４０】
図９Ａ、９Ｂは、本発明のさらに他の実施形態としての工具袋装着アダプタ６０を示している。アダプタ６０は、装着部６２と、ブラケット部６３とを有している。
【００４１】
装着部６２は、ベース部６２ａと差込み部材６２ｂとを備えている。ベース部６２ａの左右の端部には貫通孔６４ａ、６４ｂが形成されており、当該左右の貫通孔６４ａ、６４ｂに差込み部材６２ｂを差し込むことにより、扁平な環形状が形成される。差込み部材６２ｂの先端部には、爪部が形成されており、爪部がベース部６２ａに係合することにより、抜け止め保持される。
【００４２】
ベース部６２ａから差込み部材６２ｂを取り外した状態、または、一方の貫通孔６４ａのみに差込み部材６２ｂを通した状態でベルト通し部１１を、ベース部６２ａの内側に配位置し、差込み部材６２ｂを差し込むことにより、ベース部６２ａと差込み部材６２ｂとで形成される環形状の内側にベルト通し部１１を配置することができる。これにより、工具袋１０に装着部６２を装着することができる。そして、ブラケット部６３をホルダ本体１２の保持空間１５に差し込むことで、工具袋１０をホルダ本体１２に装着することができる。
【００４３】
図１０Ａ、１０Ｂ、１０Ｃは、本発明のさらに他の実施形態としての工具袋装着アダプタ７０を示している。アダプタ７０は、装着部７２と、ブラケット部７３とを有している。
【００４４】
装着部７２は、上部に設けた左右の貫通孔７４と、下部に設けた左右の貫通孔７５を有している。図１０Ｃに示すように、上部の左右の貫通孔７４に針金、結束バンド等の紐状部材７６を通して、ベルト通し部１１に結びつけることにより、工具袋１０に装着部７２を装着することができる。そして、ブラケット部７３をホルダ本体１２の保持空間１５に差し込むことで、工具袋１０をホルダ本体１２に装着することができる。
【００４５】
図１１Ａ、１１Ｂは、本発明のさらに他の実施形態としての工具袋装着アダプタ８０を示している。アダプタ８０は、装着部８２と、ブラケット部８３とを有している。
【００４６】
装着部８２は、ベルト通し部１１の内側に配置される受板８４と、ブラケット部８３及びベルト通し部１１を貫通させるとともに、受板８４に螺着されるねじ８５とを有する。ねじ８５と受板８４でブラケット部８３をベルト通し部１１に固定した状態で、ブラケット部８３をホルダ本体１２の保持空間１５に差し込むことで、工具袋１０をホルダ本体１２に装着することができる。
【符号の説明】
【００４７】
１：工具袋装着アダプタ（アダプタ）
２：装着部
２ａ：バンド部
３：ブラケット部
３ａ：第１部分
３ｂ：第２部分
４：凹凸部
４ａ：凸部
４ｂ：凹部
５：ヒンジ部
６：拘束ねじ
７：道具保持部
８：第１係合部
９：第２係合部
１０：工具袋
１０ａ：上部開口
１１：ベルト通し部
１２：ホルダ本体
１３：腰ベルト
１４：貫通孔
１５：保持空間
１６：フレーム部
１７：ストッパー部
２０：工具袋装着アダプタ（アダプタ）
２２：装着部
２２ａ：第１環状構成部
２２ｂ：第２環状構成部
２３：ブラケット部
２４：軸部
３０：工具袋装着アダプタ（アダプタ）
３２：装着部
３２ａ：横板
３２ｂ：縦板
３２ｃ：上板
３２ｄ：下板
３３：ブラケット部
４０：工具袋装着アダプタ（アダプタ）
４２：装着部
４２ａ：切欠き部
４３：ブラケット部
５０：工具袋装着アダプタ（アダプタ）
５２：装着部
５２ａ：前板
５２ｂ：後板
５３：ブラケット部
５４：開放部
５５：ねじ
６０：工具袋装着アダプタ（アダプタ）
６２：装着部
６２ａ：ベース部
６２ｂ：差込み部材
６３：ブラケット部
６４ａ、６４ｂ：貫通孔
７０：工具袋装着アダプタ（アダプタ）
７２：装着部
７３：ブラケット部
７４、７５：貫通孔
７６：紐状部材
８０：工具袋装着アダプタ（アダプタ）
８２：装着部
８３：ブラケット部
８４：受板
８５：ねじ
【図１】
2019089185.tif 000003
【図２】
2019089185.tif 000004
【図３】
2019089185.tif 000005
【図４Ａ】
2019089185.tif 000006
【図４Ｂ】
2019089185.tif 000007
【図５】
2019089185.tif 000008
【図６】
2019089185.tif 000009
【図７Ａ】
2019089185.tif 000010
【図７Ｂ】
2019089185.tif 000011
【図８Ａ】
2019089185.tif 000012
【図８Ｂ】
2019089185.tif 000013
【図９Ａ】
2019089185.tif 000014
【図９Ｂ】
2019089185.tif 000015
【図１０Ａ】
2019089185.tif 000016
【図１０Ｂ】
2019089185.tif 000017
【図１０Ｃ】
2019089185.tif 000018
【図１１Ａ】
2019089185.tif 000019
【図１１Ｂ】
2019089185.tif 000020